(57)【特許請求の範囲】
【請求項１】
並列に配列される第１から第３の３本の伸縮自在の支持脚、前記各支持脚の上端部に接合される第１から第３の合成樹脂製の支持脚接合部材、前記３本の支持脚接合部材に取り付けられる合成樹脂製の釣竿支持台、及び前記釣竿支持台に取り付けられる竿受け部材からなり、
上記第１及び第２支持脚接合部材と上記釣竿支持台とは、それぞれ円柱軸状の第１及び第２連結部材を介して連結されると共に、上記第３支持脚接合部材は、上記釣竿支持台に接合され、
上記第１及び第２連結部材は、その両端部に周方向の結合溝が形成されると共に、第１及び第２支持脚接合部材に対して所定の角度をもって配置され、
上記第１及び第２連結部材の一端部の結合溝部分を第１及び第２支持脚接合部材に、また、他端部の結合溝部分を釣竿支持台にそれぞれインサート成形により埋め込み、
上記の埋め込まれた第１及び第２連結部材の一部と第１及び第２支持脚接合部材の嵌合部分、又は、上記の埋め込まれた第１及び第２連結部材の一部と釣竿支持台の嵌合部分の相対的な滑りにより、上記第１及び第２支持脚接合部材は、釣竿支持台に対して回動自在に連結され、
上記第１及び第２支持脚接合部材と釣竿支持台との各対向面には、第１及び第２支持脚接合部材の回動範囲を限定する結合突部が設けられてなる釣竿受け。
【請求項２】
上記３本の支持脚を同一平面上に配置すると共に、上記第３支持脚の両側に上記第１支持脚及び第２支持脚を並列に配置し、
上記第１及び第２連結部材と第１及び２支持脚の長さ方向のなす角度を鈍角とすると共に、第１及び第２連結部材の他端部を、それぞれ第３支持脚側に配する請求項１に記載の釣竿受け。
【請求項３】
上記第１及び第２支持脚接合部材並びに釣竿支持台の各結合突部に傾斜部が設けられ、第１及び第２支持脚が回動することにより、第１及び第２支持脚接合部材と釣竿支持台との各傾斜部の斜面同士が接触する請求項１又は２に記載の釣竿受け。
【発明の詳細な説明】
【０００１】
【発明の属する技術分野】
この発明は、釣場の地面に立て、釣竿を載せるために使用される釣竿受けに関する。
【０００２】
【従来の技術】
従来、釣場の地面に立て、釣竿を載せるために使用される釣竿受けとしては、基台の下面に伸縮自在な３本の支持脚を有し、基台と支持脚がビス等によって連結されている釣竿受けが知られている。
【０００３】
この釣竿受けは、その支持脚がビス等を基軸に回動自在となっており、これにより支持脚の開閉が行われている。
【０００４】
【発明が解決しようとする課題】
しかしながら、上記釣竿受けは、支持脚が所定位置で固定されないため、釣り竿受けを移動させる場合、支持脚が開いた状態で保持されず、再び地上に設置するときに、各支持脚を開く操作が必要となる。
【０００５】
また、ビス等で支持脚を締めつけて支持脚の固定を図ることも考えられているが、収納時は支持脚を閉じた状態にすることから、使用時及び収納時の支持脚の開閉が困難となりやすい。また、ビス等で支持脚を締めつけたときでも、使用を繰り返す間に、ビス等が緩み、支持脚の固定が困難となる場合が多い。
【０００６】
そこで、この発明の課題は、支持脚の開閉が容易であると共に、支持脚が所定の位置で固定される釣竿受けを提供することである。
【０００７】
【課題を解決するための手段】
上記の課題を解決するため、この発明は、並列に配列される第１から第３の３本の伸縮自在の支持脚、前記各支持脚の上端部に接合される第１から第３の合成樹脂製の支持脚接合部材、前記３本の支持脚接合部材に取り付けられる合成樹脂製の釣竿支持台、及び前記釣竿支持台に取り付けられる竿受け部材からなり、上記第１及び第２支持脚接合部材と上記釣竿支持台とは、それぞれ円柱軸状の第１及び第２連結部材を介して連結されると共に、上記第３支持脚接合部材は、上記釣竿支持台に接合され、上記第１及び第２連結部材は、その両端部に周方向の結合溝が形成されると共に、第１及び第２支持脚接合部材に対して所定の角度をもって配置され、上記第１及び第２連結部材の一端部の結合溝部分を第１及び第２支持脚接合部材に、また、他端部の結合溝部分を釣竿支持台にそれぞれインサート成形により埋め込み、上記の埋め込まれた第１及び第２連結部材の一部と第１及び第２支持脚接合部材の嵌合部分、又は、上記の埋め込まれた第１及び第２連結部材の一部と釣竿支持台の嵌合部分の相対的な滑りにより、上記第１及び第２支持脚接合部材は、釣竿支持台に対して回動自在に連結され、上記第１及び第２支持脚接合部材と釣竿支持台との各対向面には、第１及び第２支持脚接合部材の回動範囲を限定する結合突部が設けられてなる。
【０００８】
また、上記３本の支持脚を同一平面上に配置すると共に、上記第３支持脚の両側に上記第１支持脚及び第２支持脚を並列に配置し、上記第１及び第２連結部材と第１及び２支持脚の長さ方向のなす角度を鈍角とすると共に、第１及び第２連結部材の他端部を、それぞれ第３支持脚側に配することができる。
【０００９】
さらに、上記第１及び第２支持脚接合部材並びに釣竿支持台の各結合突部に傾斜部が設けられ、第１及び第２支持脚が回動することにより、第１及び第２支持脚接合部材と釣竿支持台との各傾斜部の斜面同士を接触させることができる。
【００１０】
上記の第１及び第２支持脚を、上記第１及び第２連結部材の軸を中心に回動させることにより、この発明にかかる釣竿受けの三脚の開閉を容易に行うことができる。
【００１１】
また、インサート成形において、第１及び第２連結部材の一端部の結合溝部分は、第１及び第２支持脚接合部材と嵌合し、第１及び第２連結部材の他端部の結合溝部分は、釣竿支持台と嵌合する。このため、上記第１支持脚及び第２支持脚が釣竿支持台から抜け落ちることを防止できる。
【００１２】
さらに、第１及び第２連結部材の所定の部分を、第１及び第２支持脚接合部材並びに釣竿支持台のそれぞれにインサート成形によって埋め込んだので、第１及び第２支持脚接合部材は、釣竿支持台に対して、最大の摩擦抵抗を受けながら回動する。このため、所定の程度の力を加えることにより、第１及び第２支持脚を回動させることができると共に、それらを任意の位置で止め、かつ、その位置で保持することができる。
【００１３】
【発明の実施の形態】
以下、この発明の実施形態を図面を参照して説明する。
【００１４】
この発明にかかる釣竿受け１は、図１及び図２に示すように、並列に配列される第１から第３の３本の伸縮自在の支持脚１１、１２、１３、前記各支持脚１１、１２、１３の上端部に接合される第１から第３の合成樹脂製の支持脚接合部材２１、２２、２３、上記３本の支持脚１１、１２、１３を保持する合成樹脂製の釣竿支持台２、及びこの釣竿支持台２に取り付けられる竿受け部材３、３’からなる三脚である。
【００１５】
上記第１支持脚１１、第２支持脚１２、第３支持脚１３は、それぞれ第１支持脚接合部材２１、第２支持脚接合部材２２、第３支持脚接合部材２３に接合され、一体化される。
【００１６】
第１支持脚接合部材２１と釣竿支持台２、第２支持脚接合部材２２と釣竿支持台２とは、図３に示すように、それぞれ円柱軸状の第１連結部材３１及び第２連結部材３２を介して連結される。
【００１７】
上記第３支持脚接合部材２３は、図２又は図３に示すように、直接、釣竿支持台２に接合され、その第３支持脚接合部材２３に接合した第３支持脚１３と釣竿支持台２が一体化される。
【００１８】
上記の第１連結部材３１及び第２連結部材３２は、その両端部に周方向の結合溝３３ａ、３３ｂ、３４ａ、３４ｂが形成される。これらの各結合溝は、各連結部材の軸を中心とする外周と同心円状の溝底部を有し、また、それぞれの結合溝の幅が全周にわたって均一に設けられる。
【００１９】
上記の第１連結部材３１及び第２連結部材３２は、第１支持脚接合部材２１及び第２支持脚接合部材２２に対して所定の角度θをもって配置される。この角度θは、３本の支持脚１１、１２、１３の配置と、この発明にかかる釣竿受けの三脚を開いたときの形状に合わせて任意に設け入ることができる。
【００２０】
上記の第１連結部材３１及び第２連結部材３２の一端部の結合溝３３ａ、３４ａの部分は、第１支持脚接合部材２１及び第２支持脚接合部材２２に、インサート成形により埋め込まれる。また、第１連結部材３１及び第２連結部材３２の他端部の結合溝３３ｂ、３４ｂの部分は、釣竿支持台２にインサート成形により埋め込まれる。
【００２１】
上記結合溝３３ａ、３４ａの部分は、第１及び第２支持脚接合部材２１、２２と嵌合し、また、結合溝３３ｂ、３４ｂの部分は、釣竿支持台２と嵌合する。このため、第１連結部材３１及び第２連結部材３２と、第１支持脚接合部材２１、第２支持脚接合部材２２及び釣竿支持台２とは、分離することはなく、一体に連結される。
【００２２】
また、第１連結部材３１及び第２連結部材の材質として金属等を用い、第１支持脚接合部材２１、第２支持脚接合部材及び釣竿支持台２に使用される、熱可塑性樹脂等の合成樹脂とは異なるので、両者は接合しない。このため、埋め込まれた第１連結部材３１及び第２連結部材３２の一部と、第１及び第２支持脚接合部材２１、２２、並びに、釣竿支持台２の嵌合部分は、最大の摩擦抵抗を受けながらも、所定の力を加えることにより、相対的な滑りによって回動することができる。このため、釣竿支持台を基点としたとき、所定の程度の力を加えることにより、第１及び第２支持脚１１、１２を回動させることができる。さらに、上記の摩擦抵抗により、それらを任意の位置で止め、かつ、その位置で保持することができる。
【００２３】
第１連結部材３１を挟んで、第１支持脚接合部材２１と釣竿支持台２との各対向面４１ａ、４１ｂには、第１支持脚接合部材２１に接合された第１支持脚１１の回動範囲を限定するための接合突部５１ａ、５１ｂがそれぞれ設けられる。また、第２連結部材３２を挟んで、第２支持脚接合部材２２と釣竿支持台２との各対向面４２ａ、４２ｂには、第２支持脚接合部材２２に接合された第１支持脚１２の回動範囲を限定するための接合突部５２ａ、５２ｂがそれぞれ設けられる。これらの接合突部５１ａ、５１ｂ、５２ａ、５２ｂによって、支持脚１１及び支持脚１２の回動の範囲が限定される。
【００２４】
例えば、図５（ａ）に示すように、第１支持脚接合部材２１の対向面４１ａ上に、扇状の接合突部５１ａを設け、竿受け部材２の対向面上に扇状の接合突部５１ｂを設けた場合、支持脚１１の回動は、図５（ｂ）に示すように、接合突部５１ａと接合突部５１ｂとが衝突するところで停止する。したがって、支持脚１１の動きは、図５（ａ）と図５（ｂ）との間、すなわち、接合突部５１ａと接合突部５１ｂとが衝突しない範囲に限定される。
【００２５】
これらのことから、上記の各支持脚接合部材と各連結部材のなす角度θ、及び上記の各接合突部を調節することにより、支持脚１１及び１２を最大限に回動させてこの発明にかかる釣竿受けを開脚したとき、安定に地面上に設置することが可能となる。また、各支持脚接合部材２１、２２と釣竿支持台２は、各連結部材３１、３２の一部とインサート成形して得られるので、支持脚１１及び支持脚１２は、所定の力を加えることにより、摩擦抵抗を受けながら回動する。このため、回動の途中で止めても、その位置で支持脚１１及び支持脚１２は保持される。さらに、釣竿受けの支持脚を開いた状態で、この釣竿受けを移動させても、各支持脚は、上記の摩擦抵抗によってその位置が保持されるので、地面上に再設置するときに、各支持脚を開き直す必要がない。
【００２６】
上記竿受け部材３、３’は、図１又は図２に示すように、竿受け支持台２の両側に回転自在に取り付けられる。この竿受け部材３、３’には、波状の竿受け腕４、４’が設けられており、竿受け部材３、３’の回転によって水平に設置することができる。竿受け腕４、４’を水平にしたときに停止できるように、図２又は図４に示すように、ストッパー５を設ければ、竿受け腕４、４’を水平に保持することができる。さらに、竿受け部材３に、竿受け部６を設けることができる。この竿受け部６及び、竿受け腕４、４’の波状部に釣竿を載せることができる。
【００２７】
次に、この発明にかかる釣竿受けの具体的な実施形態として、第１支持脚１１、第２支持脚１２及び第３支持脚１３を同一平面上に並列に設置した釣竿受けについて説明する。
【００２８】
この場合、３本の支持脚は同一平面上に並列にされ、第３支持脚１３の両側に第１支持脚及び第２支持脚１２を配列される。このため、この釣竿受けを収納するとき、コンパクトに収納することが可能となる。さらに、第３支持脚１３を中央に配したので、両側の第１支持脚１１及び第２支持脚１２の回動が容易となる。
【００２９】
また、第１連結部材３１の軸方向と第１支持脚の長さ方向のなす角度θを鈍角とすると共に、第１連結部材３１の他端部を、第３支持脚１３側に配する。さらに、第２連結部材３２の軸方向と第１支持脚の長さ方向のなす角度θを鈍角とすると共に、第２連結部材３２をの他端部を、第３支持脚１３側に配する。第１及び第２連結部材３１、３２の位置及び角度を上記のようにしたので、第１及び第２支持脚１１、１２は、外部に広がるように回動させることができ、各支持脚が衝突することを防止できる。
【００３０】
また、釣竿支持台２の対向面４１ｂと第１支持脚接合部材２１の対向面４１ａ、及び、釣竿支持台２の対向面４２ｂと第２支持脚接合部材２２の対向面４２ａは、それぞれ互いが平行に設けられる。その方向は、第１連結部材３１及び第２連結部材３２の軸と直角方向である。
【００３１】
さらに、竿受け腕４、４’は、図６に示すように、釣竿支持台２に第３支持脚接合部材２３を介して接合された第３支持脚１３と平行に設けられる。竿受け腕４、４’と第３支持脚１３とを平行にすることにより、収納時の釣竿受け１をコンパクトにすることができ、また、竿受け腕４、４’が各支持脚から遊離して、竿受け腕４、４’が外部と引っ掛かって釣竿受け１が壊れるのを防止することができる。
【００３２】
この発明にかかる釣り竿受け１の各支持脚を広げ、釣竿８を載せると、図７に示すように、第３支持脚１３が固定されていることから、第３支持脚と竿受け部６、竿受け腕４、４’との平行状態が保たれる。このため、釣竿８をより安定的に載せることができる。また、釣竿８を載せたとき、その重さが釣竿８に対して直角方向、すなわち、第３支持脚１３の長さ方向にかかるので、釣竿受け１が倒れるのを防止できる。
【００３３】
また、図８に示すように、上記の第１及び第２支持脚接合部材２１、２２、並びに、釣竿支持台２の各接合突部５１ａ、５２ａ、５１ｂ、５２ｂのそれぞれに傾斜部を設けることができる。この傾斜部を設けることにより、第１及び第２支持脚１１、１２が回動するとき、第１支持脚接合部材２１と釣竿支持台２との各対向面４１ａ、４１ｂ上に設けられた両接合突部５１ａ、５１ｂの斜面同士が接触し、また、第２支持脚接合部材２２と釣竿支持台２との各対向面４２ａ、４２ｂ上に設けられた両接合突部５２ａ、５２ｂの斜面同士が接触する。
【００３４】
上記の各傾斜部を設けると、第１及び第２支持脚１１、１２の回動時の摩擦抵抗が低下し、回動しやすくなったとき、傾斜部の斜面同士の突き合わせの力具合を調節することにより、第１及び第２支持脚の固定を行うことができる。
【００３５】
【発明の効果】
この発明によれば、第１支持脚及び第２支持脚を、上記第１連結部材及び第２連結部材の軸を中心に回動させることにより、この発明にかかる釣竿受けの三脚の開閉を容易に行うことができる。
【００３６】
また、第１連結部材及び第２連結部材の一方の結合溝を含む一端部をインサートとして使用したので、第１支持脚接合部材及び第２支持脚接合部材をインサート成形する際、上記の結合溝にも樹脂が充填される。このため、上記第１支持脚及び第２支持脚が釣り竿支持台から抜け落ちることを防止できる。
【００３７】
さらに、上記各支持脚接合部材は、各脚連結部の一部をインサートして使用して成形したので、ある程度の力を加えることにより、第１支持脚及び第２支持脚を回動させることができると共に、それらを任意の位置で止め、かつ、その位置で保持することができる。
【００３８】
さらにまた、支持脚接合部材、並びに、釣竿支持台の各接合突部のそれぞれに傾斜部を設けることにより、開いた支持脚の固定をより確実に行うことができる。
【図面の簡単な説明】
【図１】この発明にかかる釣竿受けの例を示す斜視図
【図２】（ａ）図１の一部拡大図
（ｂ）（ａ）の背面から見た斜視図
【図３】図１に示す釣竿受けの三脚を閉じた状態を示す一部切り欠き正面図
【図４】図３の平面図
【図５】（ａ）図３のＡ−Ａ断面図
（ｂ）（ａ）の第１支持脚を回動させた状態を示す断面図
【図６】図３の側面図
【図７】図１の釣竿受けの実施形態の例を示す側面図
【図８】他の釣竿受けの例を示す一部拡大斜視図
【符号の説明】
１  釣竿受け
２  釣竿支持台
３、３’  竿受け部材
４、４’  竿受け腕
５、５’  ストッパー
６  竿受け部
８  釣竿
１１  第１支持脚
１２  第２支持脚
１３  第３支持脚
２１  第１支持脚接合部材
２２  第２支持脚接合部材
２３  第３支持脚接合部材
３１  第１連結部材
３２  第２連結部材
３３ａ、３３ｂ、３４ａ、３４ｂ  結合溝
４１ａ、４１ｂ、４２ａ、４２ｂ  対向面
５１ａ、５１ｂ、５２ａ、５２ｂ  接合突部
【図１】
0003714768.tif 000002
【図２】
0003714768.tif 000003
【図３】
0003714768.tif 000004
【図４】
0003714768.tif 000005
【図５】
0003714768.tif 000006
【図６】
0003714768.tif 000007
【図７】
0003714768.tif 000008
【図８】
0003714768.tif 000009